(57)【要約】【課題】ネットワーク仮想化スイッチを構築する。【解決手段】各スイッチには、所属ドメインIDが予め設定されており、各ドメインには複数のスイッチが所属している。各スイッチは、他スイッチからそのドメインのIDとスイッチIDと送信元ポートIDとを受信した場合、自スイッチの受信ポートIDと共に格納し、自ドメインのIDと同一ドメインIDと共に格納されたスイッチIDと送信元ポートIDと受信ポートIDとを読み出して、自ドメインID及び読み出されたスイッチIDと送信元ポートIDと受信ポートIDとを含む接続データを情報処理装置に送信する。これに対して情報処理装置は、接続データの送信元スイッチに、当該送信元スイッチが属するドメインにおいてユニークなスイッチIDを付与し、送信元スイッチに付与されたスイッチIDを設定し、当該送信元スイッチにおける受信ポートIDのポートをドメイン内リンクのポートとして設定するデータを生成して送信元スイッチに送信する。【選択図】図１
2015156587.tif 000002
【特許請求の範囲】
【請求項１】
各々記憶部を有する複数のスイッチと、
前記複数のスイッチに対して設定を行う情報処理装置と、
を有し、
前記複数のスイッチの各々には、１又は複数のドメインのうち所属するドメインの識別子が予め設定されており、
前記１又は複数のドメインの各々には、２以上のスイッチが所属しており、
前記複数のスイッチの各々は、自スイッチのスイッチ識別子が未設定である状態で、
他のスイッチから、当該他のスイッチが属するドメインの識別子とスイッチ識別子と送信元ポート識別子とを受信した場合には、自スイッチの受信ポート識別子と共に前記記憶部に格納し、
自ドメインの識別子と同一のドメインの識別子と共に前記記憶部に格納されたスイッチ識別子と送信元ポート識別子と受信ポート識別子とを読み出して、前記自ドメインの識別子及び読み出された前記スイッチ識別子と前記送信元ポート識別子と前記受信ポート識別子とを含む接続データを前記情報処理装置に送信し、
前記情報処理装置は、
前記接続データを受信すると、
前記接続データの送信元スイッチに対して、当該送信元スイッチが属するドメインにおいてユニークなスイッチ識別子を付与し、
前記接続データの送信元スイッチに対して付与されたスイッチ識別子を設定し、当該送信元スイッチにおける前記受信ポート識別子のポートをドメイン内リンクのポートとして設定するためのデータを生成し、前記接続データの送信元スイッチに送信し、
前記接続データに含まれる前記送信元ポート識別子のポートをドメイン内リンクのポートとして設定するためのデータを生成し、前記接続データに含まれる前記スイッチ識別子のスイッチに送信する
ネットワークシステム。
【請求項２】
前記複数のスイッチの各々は、
起動から一定期間内に前記記憶部に自ドメインと同一のドメインに属する他のスイッチのデータが格納されない場合、前記自ドメインの識別子を含む要求を前記情報処理装置に送信し、
前記情報処理装置は、
前記要求を受信すると、
前記要求の送信元スイッチに対して、当該送信元スイッチが属するドメインにおいてユニークなスイッチ識別子を付与し、
前記要求の送信元スイッチに対して付与されたスイッチ識別子を設定するためのデータを生成し、前記要求の送信元スイッチに送信する
請求項１記載のネットワークシステム。
【請求項３】
前記複数のスイッチの各々は、
前記自ドメインの識別子と自スイッチの識別子とを、自スイッチの各ポートから接続先に送信する
請求項１又は２記載のネットワークシステム。
【請求項４】
前記情報処理装置は、
前記１又は複数のドメインのうちルートドメインとして機能すべきドメインの識別子を格納するデータ格納部を有しており、
前記接続データの送信元スイッチに送信する処理において、
前記接続データに含まれる前記送信元スイッチのドメインの識別子が前記データ格納部に格納されている場合には、前記送信元スイッチをルートドメインとして設定するためのデータをさらに生成し、
前記接続データに含まれる前記送信元スイッチのドメインの識別子が前記データ格納部に格納されていない場合には、前記送信元スイッチをリーフドメインとして設定するためのデータをさらに生成する
請求項１乃至３のいずれか１つ記載のネットワークシステム。
【請求項５】
前記複数のスイッチの各々が、ドメインの識別子を設定するための物理的なインターフェースを有する
請求項１乃至４のいずれか１つ記載のネットワークシステム。
【請求項６】
ネットワーク仮想化スイッチのためのネットワークスイッチ装置であって、
記憶部と、
他のネットワークスイッチ装置から、当該他のネットワークスイッチ装置が属するドメインの識別子とスイッチ識別子と送信元ポート識別子とを受信した場合には、自スイッチの受信ポート識別子と共に前記記憶部に格納するスイッチ間通信処理部と、
予め設定される自ドメインの識別子と同一のドメインの識別子と共に前記記憶部に格納されたスイッチ識別子と送信元ポート識別子と受信ポート識別子とを読み出して、前記自ドメインの識別子及び読み出された前記スイッチ識別子と前記送信元ポート識別子と前記受信ポート識別子とを含む接続データを、ネットワークスイッチ装置の設定を行うための情報処理装置に送信し、当該情報処理装置から、自ネットワークスイッチ装置に対して付与されたスイッチ識別子を設定し且つ当該自ネットワークスイッチ装置における前記受信ポート識別子のポートをドメイン内リンクとして設定するためのデータを受信すると、当該データによって設定を行う設定処理部と、
を有するネットワークスイッチ装置。
【請求項７】
ネットワーク仮想化スイッチに含まれるネットワークスイッチ装置の設定を行う情報処理装置であって、
第１のネットワークスイッチ装置から、当該第１のネットワークスイッチ装置が属するドメインの識別子、及び当該第１のネットワークスイッチ装置に接続された第２のネットワークスイッチ装置のスイッチ識別子と、前記第２のネットワークスイッチ装置に接続されている前記第１のネットワークスイッチ装置のポートの第１のポート識別子と、前記第１のネットワークスイッチ装置に接続されている前記第２のネットワークスイッチ装置のポートの第２のポート識別子とを含む接続データを受信すると、
前記第１のネットワークスイッチ装置に対して、当該第１のネットワークスイッチ装置が属するドメインにおいてユニークなスイッチ識別子を付与し、
前記第１のネットワークスイッチ装置に対して付与されたスイッチ識別子を設定し、当該第１のネットワークスイッチ装置における前記第１のポート識別子のポートをドメイン内リンクのポートとして設定するためのデータを生成し、前記第１のネットワークスイッチ装置に送信し、
前記第２のポート識別子のポートをドメイン内リンクのポートとして設定するためのデータを生成し、前記第２のネットワークスイッチ装置に送信する
処理を実行する情報処理装置。
【請求項８】
ネットワーク仮想化スイッチのためのネットワークスイッチ装置によって実行される設定方法であって、
他のネットワークスイッチ装置から、当該他のネットワークスイッチ装置が属するドメインの識別子とスイッチ識別子と送信元ポート識別子とを受信した場合には、自スイッチの受信ポート識別子と共に記憶部に格納し、
予め設定される自ドメインの識別子と同一のドメインの識別子と共に前記記憶部に格納されたスイッチ識別子と送信元ポート識別子と受信ポート識別子とを読み出して、前記自ドメインの識別子及び読み出された前記スイッチ識別子と前記送信元ポート識別子と前記受信ポート識別子とを含む接続データを、ネットワークスイッチ装置の設定を行うための情報処理装置に送信し、当該情報処理装置から、自ネットワークスイッチ装置に対して付与されたスイッチ識別子を設定し且つ当該自ネットワークスイッチ装置における前記受信ポート識別子のポートをドメイン内リンクとして設定するためのデータを受信すると、当該データによって設定を行う
処理を含む設定方法。
【請求項９】
ネットワーク仮想化スイッチに含まれるネットワークスイッチ装置の設定を行う設定方法であって、
第１のネットワークスイッチ装置から、当該第１のネットワークスイッチ装置が属するドメインの識別子、及び当該第１のネットワークスイッチ装置に接続された第２のネットワークスイッチ装置のスイッチ識別子と、前記第２のネットワークスイッチ装置に接続されている前記第１のネットワークスイッチ装置のポートの第１のポート識別子と、前記第１のネットワークスイッチ装置に接続されている前記第２のネットワークスイッチ装置のポートの第２のポート識別子とを含む接続データを受信し、
前記第１のネットワークスイッチ装置に対して、当該第１のネットワークスイッチ装置が属するドメインにおいてユニークなスイッチ識別子を付与し、
前記第１のネットワークスイッチ装置に対して付与されたスイッチ識別子を設定し、当該第１のネットワークスイッチ装置における前記第１のポート識別子のポートをドメイン内リンクのポートとして設定するためのデータを生成し、前記第１のネットワークスイッチ装置に送信し、
前記第２のポート識別子のポートをドメイン内リンクのポートとして設定するためのデータを生成し、前記第２のネットワークスイッチ装置に送信する
処理を含む設定方法。
【発明の詳細な説明】
【技術分野】
【０００１】
本発明は、ネットワーク仮想化スイッチの構築技術に関する。
【背景技術】
【０００２】
ネットワーク仮想化スイッチとは、複数の内部スイッチを含むネットワークを、あたかも１つのスイッチであるかのように見せる論理的なネットワークスイッチである。
【０００３】
このようなネットワーク仮想化スイッチには、複数の内部スイッチを含む１又は複数のドメインが定義される。１つのドメインに含まれる複数の内部スイッチの間は、ＩＳＬ（Inter-Switch Link）と呼ばれるドメイン内リンクが設けられる。また、ドメインが複数定義される場合には、ドメイン間リンクが設けられる。さらに、ネットワーク仮想化スイッチを外部のネットワークに接続するためのリンクや、サーバやストレージに接続するためのリンクも設けられる。
【０００４】
ネットワーク構築作業者は、設計に従ってドメイン内リンクのためのケーブル結線、ドメイン間リンクのためのケーブル結線や、その他のリンクのためのケーブル結線を行うことになる。しかし、内部スイッチにはほとんど同じ物を用いることが多く、ケーブル結線を間違わずに行うだけでも負担が大きいが、さらに様々な設定を各内部スイッチに対して行うことになる。
【０００５】
一方、ネットワーク接続機器に対して設定を自動的に行う技術は存在しているが、上記のようなネットワーク仮想化スイッチにおいて定義されるドメインに着目しているものはない。
【先行技術文献】
【特許文献】
【０００６】
【特許文献１】特表２００４−５３７８８１号公報
【特許文献２】特開２００２−９８０８号公報
【特許文献３】特表２００５−５２２７７４号公報
【発明の概要】
【発明が解決しようとする課題】
【０００７】
従って、本発明の目的は、一側面によれば、ネットワーク仮想化スイッチを構築するための技術を提供することである。
【課題を解決するための手段】
【０００８】
本発明の一側面に係るネットワークシステムは、各々記憶部を有する複数のスイッチと、複数のスイッチに対して設定を行う情報処理装置とを有する。そして、複数のスイッチの各々には、１又は複数のドメインのうち所属するドメインの識別子が予め設定されており、１又は複数のドメインの各々には、２以上のスイッチが所属している。そして、複数のスイッチの各々は、自スイッチのスイッチ識別子が未設定である状態で、（ａ１）他のスイッチから、当該他のスイッチが属するドメインの識別子とスイッチ識別子と送信元ポート識別子とを受信した場合には、自スイッチの受信ポート識別子と共に記憶部に格納し、（ａ２）自ドメインの識別子と同一のドメインの識別子と共に記憶部に格納されたスイッチ識別子と送信元ポート識別子と受信ポート識別子とを読み出して、自ドメインの識別子及び読み出されたスイッチ識別子と送信元ポート識別子と受信ポート識別子とを含む接続データを情報処理装置に送信する。また、情報処理装置は、（ｂ１）接続データを受信すると、接続データの送信元スイッチに対して、当該送信元スイッチが属するドメインにおいてユニークなスイッチ識別子を付与し、（ｂ２）接続データの送信元スイッチに対して付与されたスイッチ識別子を設定し、当該送信元スイッチにおける受信ポート識別子のポートをドメイン内リンクのポートとして設定するためのデータを生成し、接続データの送信元スイッチに送信し、（ｂ３）接続データに含まれる送信元ポート識別子のポートをドメイン内リンクのポートとして設定するためのデータを生成し、接続データに含まれるスイッチ識別子のスイッチに送信する。
【０００９】
本発明の一側面に係る、ネットワーク仮想化スイッチのためのネットワークスイッチ装置は、（Ａ）記憶部と、（Ｂ）他のネットワークスイッチ装置から、当該他のネットワークスイッチ装置が属するドメインの識別子とスイッチ識別子と送信元ポート識別子とを受信した場合には、自スイッチの受信ポート識別子と共に記憶部に格納するスイッチ間通信処理部と、（Ｃ）予め設定される自ドメインの識別子と同一のドメインの識別子と共に記憶部に格納されたスイッチ識別子と送信元ポート識別子と受信ポート識別子とを読み出して、自ドメインの識別子及び読み出されたスイッチ識別子と送信元ポート識別子と受信ポート識別子とを含む接続データを、ネットワークスイッチ装置の設定を行うための情報処理装置に送信し、当該情報処理装置から、自ネットワークスイッチ装置に対して付与されたスイッチ識別子を設定し且つ当該自ネットワークスイッチ装置における受信ポート識別子のポートをドメイン内リンクとして設定するためのデータを受信すると、当該データによって設定を行う設定処理部とを有する。
【００１０】
さらに、本発明の一側面に係る、ネットワーク仮想化スイッチに含まれるネットワークスイッチ装置の設定を行う情報処理装置は、（Ａ）第１のネットワークスイッチ装置から、当該第１のネットワークスイッチ装置が属するドメインの識別子、及び当該第１のネットワークスイッチ装置に接続された第２のネットワークスイッチ装置のスイッチ識別子と、第２のネットワークスイッチ装置に接続されている前記第１のネットワークスイッチ装置のポートの第１のポート識別子と、第１のネットワークスイッチ装置に接続されている第２のネットワークスイッチ装置のポートの第２のポート識別子とを含む接続データを受信すると、（Ｂ）第１のネットワークスイッチ装置に対して、当該第１のネットワークスイッチ装置が属するドメインにおいてユニークなスイッチ識別子を付与し、（Ｃ）第１のネットワークスイッチ装置に対して付与されたスイッチ識別子を設定し、当該第１のネットワークスイッチ装置における第１のポート識別子のポートをドメイン内リンクのポートとして設定するためのデータを生成し、第１のネットワークスイッチ装置に送信し、（Ｄ）第２のポート識別子のポートをドメイン内リンクのポートとして設定するためのデータを生成し、第２のネットワークスイッチ装置に送信する処理を実行する。
【発明の効果】
【００１１】
一側面によれば、ネットワーク仮想化スイッチを適切に構築できるようになる。
【図面の簡単な説明】
【００１２】
【図１】図１は、ネットワーク仮想化スイッチの一例を示す図である。
【図２】図２は、ネットワーク仮想化スイッチを説明するための図である。
【図３】図３は、実施の形態に係るネットワークシステムの構成例を示す図である。
【図４】図４は、スイッチの機能ブロック図である。
【図５】図５は、装置設定サーバの機能ブロック図である。
【図６】図６は、ネットワーク構築作業者が行う手順の一例を示す図である。
【図７】図７は、基礎データ領域に格納されるデータの一例を示す図である。
【図８】図８は、アドレス管理領域に格納されるデータの一例を示す図である。
【図９】図９は、実施の形態に係る処理フローを示す図である。
【図１０】図１０は、スイッチの基礎データ格納部に格納されるデータの一例を示す図である。
【図１１】図１１は、実施の形態に係る処理フローを示す図である。
【図１２】図１２は、設定生成処理の処理フローを示す図である。
【図１３】図１３は、スイッチＩＤ管理領域に格納されるデータの一例を示す図である。
【図１４】図１４は、アドレス管理領域に格納されるデータの一例を示す図である。
【図１５】図１５は、設定生成処理の処理フローを示す図である。
【図１６】図１６は、第１のスイッチに対して生成された設定コマンドの一例を示す図である。
【図１７】図１７は、接続データ格納部に格納されるデータの一例を示す図である。
【図１８】図１８は、実施の形態に係る処理フローを示す図である。
【図１９】図１９は、第２のスイッチに対して生成された設定コマンドの一例を示す図である。
【図２０】図２０は、第１のスイッチに対して生成された設定コマンドの一例を示す図である。
【図２１】図２１は、実施の形態が適用可能なネットワーク仮想化スイッチの一例を示す図である。
【図２２】図２２は、実施の形態が適用可能なネットワーク仮想化スイッチの一例を示す図である。
【図２３】図２３は、コンピュータでスイッチを実装する場合の機能ブロック図である。
【発明を実施するための形態】
【００１３】
図１に、ネットワーク仮想化スイッチの一例を示す。図１に示したネットワーク仮想化スイッチ１０００は、３つのドメインを含む。ドメインＩＤ（Domain ID）が１であるドメイン１は、ルートドメインであり、２つのスイッチ１００１及び１００２を含む。ドメイン１内のスイッチ１００１及び１００２は、太線で示される２本のＩＳＬで接続されており、両方のスイッチは外部Ｌ２（Layer-2）スイッチ１３００と接続されている。また、ドメイン１に属する２つのスイッチ１００１及び１００２は、他のドメインの各スイッチとも点線で表されるリンクで接続されている。
【００１４】
ドメインＩＤが２であるドメイン２は、ルートドメイン以外のリーフドメインであり、２つのスイッチ１００３及び１００４を含む。ドメイン２内のスイッチ１００３及び１００４は、太線で表される２本のＩＳＬで接続されており、両方のスイッチ１００３及び１００４は共にサーバ１１００と接続されている。さらに、ドメイン２内のスイッチ１００３及び１００４は、ドメイン１に属する各スイッチと点線で表されるリンクで接続されている。
【００１５】
さらに、ドメインＩＤが３であるドメイン３は、ルートドメイン以外のリーフドメインであり、３つのスイッチ１００５乃至１００７を含む。ドメイン３内のスイッチは、それぞれ太線で表される２本のＩＳＬで接続されており、各スイッチ１００５乃至１００７は、３以上のストレージ１２００に接続されている。さらに、ドメイン３内のスイッチ１００５乃至１００７は、ドメイン１に属する各スイッチと点線で表されるリンクで接続されている。
【００１６】
このようなネットワーク仮想化スイッチ１０００が適切に動作するためには、ドメイン１に属するスイッチ１００１には、ＮＶＳ（Network Virtualized Switch）ＩＤが「１」であり、ドメインＩＤが「１」であり、ドメインの役割が「ｒｏｏｔ」であり、ドメイン１内のスイッチＩＤが「１」であり、ＩＳＬポートの識別子が「１８」及び「１９」であるという設定がなされている。
【００１７】
ドメイン１に属するスイッチ１００２には、ＮＶＳ  ＩＤが「１」であり、ドメインＩＤが「１」であり、ドメインの役割が「ｒｏｏｔ」であり、ドメイン１内のスイッチＩＤが「２」であり、ＩＳＬポートの識別子が「１８」及び「１９」であるという設定がなされている。
【００１８】
ドメイン２に属するスイッチ１００３には、ＮＶＳ  ＩＤが「１」であり、ドメインＩＤが「２」であり、ドメインの役割が「ｌｅａｆ」であり、ドメイン２内のスイッチＩＤが「１」であり、ＩＳＬポートの識別子が「１８」及び「１９」であるという設定がなされている。
【００１９】
ドメイン２に属するスイッチ１００４には、ＮＶＳ  ＩＤが「１」であり、ドメインＩＤが「２」であり、ドメインの役割が「ｌｅａｆ」であり、ドメイン２内のスイッチＩＤが「２」であり、ＩＳＬポートの識別子が「１８」及び「１９」であるという設定がなされている。
【００２０】
ドメイン３に属するスイッチ１００５には、ＮＶＳ  ＩＤが「１」であり、ドメインＩＤが「３」であり、ドメインの役割が「ｌｅａｆ」であり、ドメイン３内のスイッチＩＤが「１」であり、ＩＳＬポートの識別子が「１８」「１９」「２０」及び「２１」であるという設定がなされている。
【００２１】
ドメイン３に属するスイッチ１００６には、ＮＶＳ  ＩＤが「１」であり、ドメインＩＤが「３」であり、ドメインの役割が「ｌｅａｆ」であり、ドメイン３内のスイッチＩＤが「２」であり、ＩＳＬポートの識別子が「１８」「１９」「２０」及び「２１」であるという設定がなされている。
【００２２】
ドメイン３に属するスイッチ１００７には、ＮＶＳ  ＩＤが「１」であり、ドメインＩＤが「３」であり、ドメインの役割が「ｌｅａｆ」であり、ドメイン３内のスイッチＩＤが「３」であり、ＩＳＬポートの識別子が「１８」「１９」「２０」及び「２１」であるという設定がなされている。
【００２３】
なお、ポート番号は、DomainID/SwitchID/ChassisID/Port番号の形式で、１／２／０／１といった値になるが、本実施の形態では、上記のような単純なポート番号で略記するものとする。
【００２４】
なお、このような設定がなされれば、ネットワーク仮想化スイッチ１０００内の各スイッチは、ドメイン間リンクを自動で認識し、他の設定（例えば冗長化設定等）を自動で行うようになっている。
【００２５】
図１にも示すように、高い冗長性を確保するためや、迂回経路の性能を確保するなどのため、重要なドメインのＩＳＬは複数本のリンクでとなっている。
【００２６】
なお、上で述べたような冗長化設定などの他の設定は、上記のような設定が矛盾無く行われることが前提となる。ここで矛盾とは、例えば、ＩＳＬ用のポートの先に、他のドメインのスイッチが接続される場合（本来は同一ドメインのスイッチ）、また、ＩＳＬ用のポートの先に、自スイッチのスイッチＩＤと同じスイッチＩＤが重複して存在する場合（本来はスイッチＩＤの重複はドメイン内ではない）などである。
【００２７】
このような矛盾がなければ、図２に示すように、サーバ１１００からのトラフィックを、ドメイン２に属するスイッチ１００３及び１００４とドメイン１に属するスイッチとを経由して外部Ｌ２スイッチ１３００に流すことで、スイッチ１００３又は１００４のみを経由するより負荷分散がなされる。すなわち、スイッチ１つの性能を上げることが無くとも、ネットワーク性能を向上させることができる。
【００２８】
また、スイッチ１００５とスイッチ１００２との間のドメイン間リンクが切断されるような場合においても、太点線で示すように、スイッチ１００５とスイッチ１００６との間のＩＳＬを用いて、ストレージ１２００から外部Ｌ２スイッチ１３００へのトラフィックをスイッチ１００６を介して迂回させることもできる。
【００２９】
そこで、図１に示したような設定を、ネットワーク構築作業者の負担を軽減しつつ矛盾無く行うための仕組みについて、図３乃至図２２を用いて説明する。
【００３０】
ここでは、図３に示すように、外部Ｌ２スイッチ１３００に、装置設定サーバ１４００を接続させて、ネットワーク仮想化スイッチ１０００内のスイッチに対して設定を行うものとする。なお、図３ではネットワーク仮想化スイッチ１０００内の２台のスイッチ１００１及び１００２のみを図示しているが、他のスイッチについてもスイッチ１００１及び１００２と同様の構成を有する。
【００３１】
スイッチ１００１及び１００２は、他のスイッチなどとケーブルなどで接続するための複数のポートと、ＣＰＵ（Central Processing Unit）と、処理途中のデータや実行中のプログラムを格納するＲＡＭ（Random Access Memory）と、設定データやプログラムを格納するＮＶＲＡＭ（Non-Volatile Memory）とを有する。また、本実施の形態に係るスイッチの１つの特徴として、ドメインＩＤを設定するために、ディップスイッチやダイヤルなどの物理インターフェースが設けられている点がある。これによって、ネットワーク構築作業者は、ドメインＩＤの設定が容易になると共に、結線後における確認作業も容易になる。
【００３２】
物理インターフェースによって設定されたドメインＩＤは、ＣＰＵに通知される。ＣＰＵは、ＮＶＲＡＭに格納されているプログラムを実行することで、図４に示すような機能を実現する。すなわち、スイッチ１００１には、基礎データ処理部１０５１と、スイッチ間通信処理部１０５２と、設定処理部１０５３と、基礎データ格納部１０５４と、接続データ格納部１０５５とが実現される。
【００３３】
基礎データ処理部１０５１は、ディップスイッチ等の物理インターフェースからドメインＩＤを取得する処理、装置設定サーバ１４００からＩＰアドレスの割り当てを受ける処理等を実行する。スイッチ間通信処理部１０５２は、自スイッチのデータを他のスイッチへポートを介して送信し、他のスイッチのデータを受信して接続データ格納部１０５５に格納する処理等を行う。設定処理部１０５３は、装置設定サーバ１４００に設定生成要求を送信し、装置設定サーバ１４００から設定データを受信し、設定を実行する処理を実行する。
【００３４】
基礎データ格納部１０５４及び接続データ格納部１０５５は、例えばＮＶＲＡＭに設けられるデータ格納領域である。また、装置設定サーバ１４００から受信した設定データに含まれるコマンドを実行することで設定されるデータの少なくとも一部についても、基礎データ格納部１０５４に格納される。
【００３５】
また、図５に示すように、装置設定サーバ１４００は、コンピュータなどの情報処理装置であり、アドレス割当部１４０１と、設定生成部１４０２と、データ格納部１４０３とを有する。アドレス割当部１４０１は、ＤＨＣＰ（Dynamic Host Configuration Protocol）機能を有しており、装置設定サーバ１４００のＩＰアドレスを通知すると共に、スイッチにＩＰアドレスを付与して通知する。設定生成部１４０２は、スイッチからの設定生成要求に応じて処理を行い、設定コマンドを含む設定データを生成し、要求元のスイッチに送信する。
【００３６】
データ格納部１４０３は、スイッチＩＤ管理領域１４０３１と、基礎データ領域１４０３２と、アドレス管理領域１４０３３とを含む。
【００３７】
スイッチＩＤ管理領域１４０３１は、各ドメインの付与済みスイッチＩＤを管理するためのデータ領域である。基礎データ領域１４０３２は、設定を行うべきネットワーク仮想化スイッチ１０００におけるルートドメインのドメインＩＤと、ネットワーク仮想化スイッチ１０００のＩＤであるＮＶＳＩＤとを格納するためのデータ領域である。また、アドレス管理領域１４０３３は、スイッチに割り当てるべきＩＰアドレスの範囲及び割当済みのＩＰアドレスを格納するためのデータ領域である。
【００３８】
次に、ネットワーク構築作業者が行う作業の手順の一例を図６に示す。まず、ネットワーク構築作業者は、装置設定サーバ１４００に、ルートドメインのドメインＩＤ（ルートドメインＩＤ）及びネットワーク仮想化スイッチＩＤ（ＮＶＳＩＤ）を格納する（ステップＳ１）。例えば、図７に示すようなデータが、データ格納部１４０３の基礎データ領域１４０３２に格納される。図７の例では、ルートドメインＩＤが「１」であり、ネットワーク仮想化スイッチＩＤが「１」である。
【００３９】
また、ネットワーク構築作業者は、スイッチに割り当てるＩＰアドレスの範囲を設定する（ステップＳ３）。例えば、図８に示すようなデータが、データ格納部１４０３のアドレス管理領域１４０３３に格納される。図８の例では、ＩＰアドレスの範囲の下限値が「１９２．１６８．１３３．１０１」であり、上限値が「１９２．１６８．１３３．１２０」である。
【００４０】
さらに、ネットワーク構築作業者は、ネットワーク仮想化スイッチ１０００の各スイッチに対して、所属するドメインのドメインＩＤをディップスイッチやダイヤルなどの物理インターフェースで設定する（ステップＳ５）。
【００４１】
そして、ネットワーク構築作業者は、ドメインＩＤの設定を行ったスイッチをラックに搭載し、ケーブルによる結線を設計に従って行う（ステップＳ７）。
【００４２】
最後に、ネットワーク構築作業者は、ネットワーク仮想化スイッチ１０００内のスイッチに順次電源投入を行う（ステップＳ９）。
【００４３】
ネットワーク構築作業者は、このような作業を行うだけで、以下で述べる処理が行われて、ネットワーク仮想化スイッチ１０００が自動的に構築されるようになる。
【００４４】
次に、装置設定サーバ１４００及び各スイッチの動作内容について、図９乃至図２２を用いて説明する。
【００４５】
例えばスイッチ１００１に電源が投入されると（図９：ステップＳ１１）、基礎データ処理部１０５１は、ディップスイッチ（ＤｉｐＳＷ）等から、自スイッチのドメインＩＤを読み出す（ステップＳ１３）。また、基礎データ処理部１０５１は、スイッチ間通信処理部１０５２に処理開始を指示する（ステップＳ１５）。但し、スイッチ間通信処理部１０５２は、ドメインＩＤ及びスイッチＩＤが設定されていない場合には、処理開始を指示されても、各ポートからＬＬＤＰ（Link Layer Discovery Protocol）のパケットによって、自スイッチのドメインＩＤ、送信元ポート番号及びスイッチＩＤを通知する処理を行わない。
【００４６】
また、基礎データ処理部１０５１は、ＩＰアドレス要求をＤＨＣＰリクエストメッセージとして装置設定サーバ１４００に対して送信する（ステップＳ１７）。これに対して、装置設定サーバ１４００のアドレス割当部１４０１は、スイッチ１００１からＩＰアドレス要求を受信すると（ステップＳ１９）、アドレス管理領域１４０３３に格納されているＩＰアドレスの範囲から、空いているＩＰアドレスを割り当てて、当該ＩＰアドレスと装置設定サーバ１４００のＩＰアドレスとを含むメッセージを、要求元のスイッチ１００１へ送信する（ステップＳ２１）。
【００４７】
一方、スイッチ１００１の基礎データ処理部１０５１は、装置設定サーバ１４００から、割り当てられたＩＰアドレス及び装置設定サーバ１４００のＩＰアドレスを含むメッセージを受信すると、自スイッチのアドレスとして割り当てられたＩＰアドレスを設定する（ステップＳ２３）。さらに、装置設定サーバ１４００のＩＰアドレスも、基礎データ格納部１０５４に格納する。例えば、図１０に示すようなデータが、基礎データ格納部１０５４に格納される。
【００４８】
また、設定処理部１０５３は、スイッチ間通信処理部１０５２がいずれかのポートに接続されている隣接スイッチからのＬＬＤＰパケットを受信するのを待つ（ステップＳ２５）。ここで、所定時間を計測するためのタイマのカウントダウンを開始させる。そして、スイッチ間通信処理部１０５２がＬＬＤＰパケットを受信していない場合には（ステップＳ２７：Ｎｏルート）、設定処理部１０５３は、所定時間経過したか、すなわちタイマがタイムアウトしたか否かを判断する（ステップＳ２８）。所定時間経過していない場合には、処理はステップＳ２７に移行する。
【００４９】
例えば、スイッチ１００１が最初に電源投入されたスイッチであるとすると、隣接スイッチからＬＬＤＰパケットを受信することはない。従って、タイムアウトが発生して、設定処理部１０５３は、自ドメインＩＤを含む設定生成要求を、装置設定サーバ１４００に送信する（ステップＳ３１）。例えば、スイッチ１００１のドメインＩＤが「１」であれば、ドメインＩＤが「１」であることを表すデータを含む設定生成要求が送信される。
【００５０】
なお、スイッチ１００１以外の自ドメインのスイッチからＬＬＤＰパケットが送られてきてスイッチ間通信処理部１０５２が当該ＬＬＤＰパケットを受信した場合には（ステップＳ２７：Ｙｅｓルート）、スイッチ間通信処理部１０５２は、ＬＬＤＰパケットに含まれる隣接スイッチの送信元ポート番号と隣接スイッチのスイッチＩＤ及びドメインＩＤと当該ＬＬＤＰパケットを受信した自スイッチのポートのポート番号とを含む接続データを、接続データ格納部１０５５に格納する。そこで、設定処理部１０５３は、基礎データ格納部１０５４から、自ドメインＩＤと同じドメインＩＤを含む接続データを読み出して、当該接続データと自ドメインＩＤとを含む設定生成要求を、装置設定サーバ１４００に送信する（ステップＳ２９）。なお、ドメインＩＤは共通なので、自ドメインＩＤを別に送信する場合には、接続データからドメインＩＤを除外しても良い。
【００５１】
これに対して、装置設定サーバ１４００の設定生成部１４０２は、スイッチ１００１から設定生成要求を受信する（ステップＳ３３）。設定生成要求は、接続データを含む場合もあれば、含まない場合もある。処理は、端子Ａ及びＢを介して図１１の処理に移行する。
【００５２】
図１１の処理の説明に移行して、装置設定サーバ１４００の設定生成部１４０２は、設定生成要求に応じて設定生成処理を実行する（ステップＳ３５）。この設定生成処理については、図１２乃至図１６を用いて説明する。
【００５３】
まず、設定生成部１４０２は、基礎データ領域１４０３２から、ネットワーク仮想化スイッチＩＤ（ＮＶＳ  ＩＤ）を読み出し、ＮＶＳ  ＩＤの設定コマンドを生成する（図１１：ステップＳ１０１）。例えば、「ｓｅｔ  ＮＶＳ  ＩＤ  １」といったコマンドを生成する。
【００５４】
また、設定生成部１４０２は、受信した設定生成要求からドメインＩＤを取り出し、ドメインＩＤの設定コマンドを生成する（ステップＳ１０３）。例えば、「ｓｅｔ  Ｄｏｍａｉｎ  ＩＤ  １」といったコマンドを生成する。
【００５５】
さらに、設定生成部１４０２は、ルートドメインのドメインＩＤを基礎データ領域１４０３２から読み出す（ステップＳ１０５）。そして、設定生成部１４０２は、受信した設定生成要求から取り出したドメインＩＤとルートドメインのドメインＩＤとが一致するか否かを判断する（ステップＳ１０７）。
【００５６】
両方のドメインＩＤが一致していれば、設定生成部１４０２は、設定生成要求の送信元スイッチをルートドメインとして動作させる設定コマンドを生成する（ステップＳ１０９）。例えば、「ｓｅｔ  Ｄｏｍａｉｎ  Ｒｏｌｅ  ｒｏｏｔ」といったコマンドを生成する。その後処理はステップＳ１１３に移行する。
【００５７】
一方、ドメインＩＤが一致しない場合には、設定生成部１４０２は、設定生成要求の送信元スイッチをリーフドメインとして動作させる設定コマンドを生成する（ステップＳ１１１）。例えば、「ｓｅｔ  Ｄｏｍａｉｎ  Ｒｏｌｅ  ｌｅａｆ」といったコマンドを生成する。その後処理はステップＳ１１３に移行する。
【００５８】
そして、設定生成部１４０２は、スイッチＩＤ管理領域１４０３１において、受信した設定生成要求のドメインＩＤに対応付けられている最大スイッチＩＤを読み出し、１インクリメントした値を算出する（ステップＳ１１３）。スイッチＩＤ管理領域１４０３１には、例えば図１３に示されるようなデータが格納されている。図１３の例では、ドメインＩＤ毎に、最大スイッチＩＤが登録されている。もし、初めて受信したドメインＩＤの場合には、例えば、当該ドメインＩＤと「０」を初期的に追加すると共に、この初期値「０」を読み出して１インクリメントする。
【００５９】
そして、設定生成部１４０２は、算出値をスイッチＩＤとして設定する設定コマンドを生成する（ステップＳ１１５）。例えば、「ｓｅｔ  Ｓｗｉｔｃｈ  ＩＤ  １」といったコマンドを生成する。
【００６０】
さらに、設定生成部１４０２は、設定生成要求のドメインＩＤと、算出したスイッチＩＤと、設定生成要求の送信元ＩＰアドレスとを、アドレス管理領域１４０３３に格納する（ステップＳ１１６）。例えば、図１４に示すようなデータが、アドレス管理領域１４０３３に格納される。図１４の例では、ドメインＩＤ及びスイッチＩＤの組み合わせ毎にＩＰアドレスが格納されるようになっている。そして処理は端子Ｄを介して図１５の処理に移行する。
【００６１】
図１５の処理の説明に移行して、設定生成部１４０２は、受信した設定生成要求から未処理の接続先を特定する（ステップＳ１１７）。スイッチ１００１が設定生成要求を送信した場合には、接続データは含まれていない。しかし、隣接スイッチからＬＬＤＰパケットを受信したスイッチが設定生成要求を送信した場合には、接続データが含まれることになる。また、設定生成要求を送信するタイミングで、複数の隣接スイッチからＬＬＤＰパケットを受信していると、複数の接続先スイッチの接続データが、設定生成要求に含まれることになる。そこで、本実施の形態ではステップＳ１１７で、未処理の接続先を設定生成要求において特定する。
【００６２】
そして、設定生成要求において未処理の接続先が特定できない、すなわち接続データが含まれていない場合又はいずれの接続先スイッチについても処理した場合には（ステップＳ１１９：Ｎｏルート）、処理は呼び出し元の処理に戻る。
【００６３】
一方、未処理の接続先が特定された場合には（ステップＳ１１９：Ｙｅｓルート）、設定生成部１４０２は、受信した設定生成要求の送信元スイッチに対して、ＩＳＬポート設定を行うためのコマンドを生成する（ステップＳ１２１）。例えば、設定生成要求の送信元スイッチのポート番号「１」のポートが、ドメインＩＤ「１」でスイッチＩＤ「１」の隣接スイッチのポート番号「５」のポートに接続されていることを表す接続データを含む場合には、「ｓｅｔ  ＩＳＬ  Ｐｏｒｔ  Ｎｏ  １」といったコマンドが生成される。
【００６４】
さらに、設定生成部１４０２は、特定された接続先スイッチに対して、ＩＳＬポート設定を行うためのコマンドを生成する（ステップＳ１２３）。ステップＳ１２１で述べた例であれば、「ｓｅｔ  ＩＳＬ  Ｐｏｒｔ  Ｎｏ  ５」といったコマンドを生成する。そして処理はステップＳ１１７に戻る。
【００６５】
このような処理を行うことで、ＮＶＳ  ＩＤ、ドメインＩＤ、そのドメインの役割、スイッチＩＤといった基本的な設定だけではなく、ＩＳＬが接続されるポート番号をも、そのＩＳＬの両端のスイッチに対して設定されるようになる。なお、スイッチ１００１が最初に設定生成要求を送信してきた場合には、接続データは設定生成要求に含まれていないので、図１６に示すようなコマンドが生成される。
【００６６】
図１１の処理の説明に戻って、設定生成部１４０２は、生成した設定コマンドを、設定生成要求の送信元スイッチに対して送信する（ステップＳ３７）。
【００６７】
そうすると、スイッチ１００１の設定処理部１０５３は、装置設定サーバ１４００から設定コマンドを受信し（ステップＳ３９）、受信した設定コマンドを実行する（ステップＳ４１）。これによって、スイッチＩＤを含む設定がスイッチ１００１になされることになる。
【００６８】
そうすると、スイッチ１００１にはスイッチＩＤが付与されるので、スイッチ間通信処理部１０５２は、ドメインＩＤとスイッチＩＤと送信元のポート番号とを含むＬＬＤＰパケットを、隣接スイッチ宛に送信する（ステップＳ４３）。この例では、スイッチ１００２に送信することになる。
【００６９】
一方、スイッチ１００２の設定処理部１０５３は、スイッチ１００１と同様に、電源投入（ステップＳ１１）乃至ＩＰアドレスの受信及び設定（ステップＳ２３）を実行する（ステップＳ５１）。この際、装置設定サーバ１４００のアドレス割当部１４０１による処理も含まれるが、スイッチ１００１の場合と同様に処理されるので、説明を省略する。
【００７０】
そして、スイッチ１００２の設定処理部１０５３は、スイッチ間通信処理部１０５２がいずれかのポートに接続されている隣接スイッチからのＬＬＤＰパケットを受信をするのを待つ（ステップＳ５３）。ステップＳ２５と同様に、所定時間を計測するためのタイマのカウントダウンを開始させる。
【００７１】
そして、スイッチ１００２のスイッチ間通信処理部１０５２が他の隣接スイッチからＬＬＤＰパケットを受信していない場合には（ステップＳ５５：Ｎｏルート）、設定処理部１０５３は、所定時間経過したか、すなわちタイマがタイムアウトしたか否かを判断する（ステップＳ５７）。所定時間経過していない場合には、処理はステップＳ５５に移行する。
【００７２】
スイッチ１００２が最初に電源投入されたスイッチであれば、隣接スイッチからＬＬＤＰパケットを受信することはないが、ここではスイッチ１００１の方が先に起動しているので、タイムアウトは発生しないものとする。
【００７３】
上で述べたように、スイッチ１００１がＬＬＤＰパケットを送信してくるので、スイッチ１００２のスイッチ間通信処理部１０５２は、このＬＬＤＰパケットを受信し（ステップＳ４５）、ＬＬＤＰパケットに含まれるデータ（ドメインＩＤ、スイッチＩＤ及び送信元ポート番号）を、受信ポートのポート番号と共に接続データ格納部１０５５に格納する（ステップＳ４７）。接続データ格納部１０５５に格納されるデータの一例を図１７に示す。図１７の例では、ＬＬＤＰパケットを受信したポート番号と、隣接スイッチのドメインＩＤと、隣接スイッチのスイッチＩＤと、隣接スイッチのポート番号とが格納される。
【００７４】
このように自ドメインの隣接スイッチからＬＬＤＰパケットを受信したということが接続データ格納部１０５５に反映されるか、又はスイッチ間通信処理部１０５２から自ドメインの隣接スイッチからＬＬＤＰパケットを受信した通知を受けると、設定生成部１４０２は、自ドメインの隣接スイッチからＬＬＤＰパケットを受信したと判断する（ステップＳ５５：Ｙｅｓルート）。処理は、端子Ｃを介して図１８の処理に移行する。
【００７５】
図１８の処理の説明に移行して、スイッチ１００２の設定処理部１０５３は、基礎データ格納部１０５４から、自ドメインＩＤと同じドメインＩＤを含む接続データを読み出して、当該接続データを含む設定生成要求を、装置設定サーバ１４００に送信する（ステップＳ５９）。例えば、自スイッチのポート番号「１８」、隣接スイッチのドメインＩＤ「１」、隣接スイッチのスイッチＩＤ「１」、隣接スイッチのポート番号「１８」を含む接続データが読み出されたものとする。
【００７６】
そうすると、装置設定サーバ１４００の設定生成部１４０２は、スイッチ１００２から設定生成要求を受信する（ステップＳ６１）。そして、装置設定サーバ１４００の設定生成部１４０２は、設定生成要求に応じて設定生成処理を実行する（ステップＳ６３）。この設定生成処理については、図１２乃至図１６を用いて説明した処理と同じである。
【００７７】
但し、スイッチ１００２にはスイッチＩＤ「２」が割り当てられ、さらに接続データが設定生成要求に含まれるので、ＩＳＬポートの設定コマンド「ｓｅｔ  ＩＳＬ  Ｐｏｒｔ  １８」が生成される。
【００７８】
すなわち、図１９に示すような設定コマンドが設定生成要求の送信元スイッチ１００２に対して生成される。図１９の例では、スイッチ１００２の基本的な設定コマンドに加えて、１つの接続先スイッチについてのＩＳＬポート設定コマンドも含まれる。
【００７９】
さらに、ステップＳ１２３で、接続先スイッチ１００１に対しても、接続データから図２０に示すような設定コマンドが生成される。このように、接続先スイッチ１００１に対しては、ＩＳＬポート設定コマンドのみが生成されることになる。
【００８０】
そうすると、装置設定サーバ１４００の設定生成部１４０２は、生成した設定コマンド（図１９）を、設定生成要求の送信元スイッチ１００２に対して送信する（ステップＳ６５）。
【００８１】
これに対し、スイッチ１００２の設定処理部１０５３は、装置設定サーバ１４００から設定コマンドを受信し（ステップＳ６７）、受信した設定コマンドを実行する（ステップＳ６９）。これによって、スイッチＩＤを含む設定がスイッチ１００２になされることになる。
【００８２】
そうすると、スイッチ１００２にもスイッチＩＤが付与されたことになるので、スイッチ１００２のスイッチ間通信処理部１０５２は、ドメインＩＤとスイッチＩＤと送信元のポート番号とを含むＬＬＤＰパケットを、隣接スイッチ宛に送信するようになる（ステップＳ７１）。ここでは、スイッチ１００１に対して、自スイッチのポート番号と、ドメインＩＤと、スイッチＩＤとを含む接続データが、ＬＬＤＰパケットで送信される。
【００８３】
また、装置設定サーバ１４００の設定生成部１４０２は、生成した設定コマンド（図２０）を、接続先スイッチ１００１に対して送信する（ステップＳ７３）。ここでは、アドレス管理領域１４０３３に格納されているデータに基づきスイッチＩＤからＩＰアドレスを特定して、設定コマンドを送信する。
【００８４】
そうすると、スイッチ１００１の設定処理部１０５３は、装置設定サーバ１４００から設定コマンドを受信し（ステップＳ７５）、受信した設定コマンドを実行する（ステップＳ７７）。これによって、ＩＳＬポート設定がなされることになる。
【００８５】
さらに、スイッチ１００１のスイッチ間通信処理部１０５２は、隣接スイッチ１００２から、ＬＬＤＰパケットを受信すると（ステップＳ７９）、当該ＬＬＤＰパケットに含まれる接続データを、受信ポートのポート番号と共に接続データ格納部１０５５に格納する。
【００８６】
なお、ＬＬＤＰパケットの送信については、例えば定期的に実行するものとする。
【００８７】
以上のような処理を実行することで、ネットワーク構築作業者の負担は大幅に削減されると共に、ミスによるネットワーク仮想化スイッチの構築失敗を回避でき、作業効率が向上する。
【００８８】
上でも述べたように、各スイッチは一度設定生成要求を装置設定サーバ１４００に送信すれば基本的な設定は行われ、その後他のスイッチに関連して検出されたＩＳＬについては、個別に設定されるようになっている。
【００８９】
なお、本実施の形態は、図２１に示すようなルートドメインのみが存在するネットワーク仮想化スイッチの構築にも適用可能である。また、図１に示したようなルートドメインの配下にリーフドメインが並列に設けられる場合だけではなく、図２２に示すように、リーフドメインのさらに配下にリーフドメインを設けるような構成であっても、本実施の形態を適用できる。これらは一例であって、一般的なネットワーク仮想化スイッチの構成であれば、本実施の形態を適用できる。
【００９０】
以上本発明の実施の形態を説明したが、本発明はこれに限定されるものではない。例えば、処理フローについても、同じ処理結果が得られる限り、複数のステップを並列に実行したり、順番を入れ替えたりしても良い。
【００９１】
また、スイッチ１００１乃至１００７及び装置設定サーバ１４００の機能ブロック構成は一例であって、プログラムモジュール構成やファイル構成とは一致しない場合もある。また、例えば装置設定サーバ１４００のＤＨＣＰ機能部分については、別のコンピュータで実行する場合もある。
【００９２】
なお、上で述べた装置設定サーバ１４００は、コンピュータ装置であって、図２３に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本技術の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【００９３】
以上述べた本実施の形態をまとめると、以下のようになる。
【００９４】
本実施の形態に係るネットワークシステムは、各々記憶部を有する複数のスイッチと、複数のスイッチに対して設定を行う情報処理装置とを有する。そして、複数のスイッチの各々には、１又は複数のドメインのうち所属するドメインの識別子が予め設定されており、１又は複数のドメインの各々には、２以上のスイッチが所属している。そして、複数のスイッチの各々は、自スイッチのスイッチ識別子が未設定である状態で、（ａ１）他のスイッチから、当該他のスイッチが属するドメインの識別子とスイッチ識別子と送信元ポート識別子とを受信した場合には、自スイッチの受信ポート識別子と共に記憶部に格納し、（ａ２）自ドメインの識別子と同一のドメインの識別子と共に記憶部に格納されたスイッチ識別子と送信元ポート識別子と受信ポート識別子とを読み出して、自ドメインの識別子及び読み出されたスイッチ識別子と送信元ポート識別子と受信ポート識別子とを含む接続データを情報処理装置に送信する。また、情報処理装置は、（ｂ１）接続データを受信すると、接続データの送信元スイッチに対して、当該送信元スイッチが属するドメインにおいてユニークなスイッチ識別子を付与し、（ｂ２）接続データの送信元スイッチに対して付与されたスイッチ識別子を設定し、当該送信元スイッチにおける受信ポート識別子のポートをドメイン内リンクのポートとして設定するためのデータを生成し、接続データの送信元スイッチに送信し、（ｂ３）接続データに含まれる送信元ポート識別子のポートをドメイン内リンクのポートとして設定するためのデータを生成し、接続データに含まれるスイッチ識別子のスイッチに送信する。
【００９５】
このようにすれば、ネットワーク仮想化スイッチを適切に構築できるようになる。また、ネットワーク構築作業者の負担を削減でき、作業ミスも抑制できる。
【００９６】
また、上で述べた複数のスイッチの各々は、（ａ３）起動から一定期間内に記憶部に自ドメインと同一のドメインに属する他のスイッチのデータが格納されない場合、自ドメインの識別子を含む要求を情報処理装置に送信するようにしても良い。この場合、上で述べた情報処理装置は、（ｂ４）上記要求を受信すると、上記要求の送信元スイッチに対して、当該送信元スイッチが属するドメインにおいてユニークなスイッチ識別子を付与し、（ｂ５）上記要求の送信元スイッチに対して付与されたスイッチ識別子を設定するためのデータを生成し、上記要求の送信元スイッチに送信するようにしても良い。
【００９７】
例えば最初に起動したスイッチは、このようにスイッチ識別子を得てから、動作を行うものである。
【００９８】
さらに、上で述べた複数のスイッチの各々は、上で述べた処理の後、（ａ４）自ドメインの識別子と自スイッチの識別子とを、自スイッチの各ポートから接続先に送信するようにしても良い。これによって、最初に起動したスイッチ以外についても、自動的に設定が行われるようになる。
【００９９】
さらに、上で述べた情報処理装置は、（ｂ６）１又は複数のドメインのうちルートドメインとして機能すべきドメインの識別子を格納するデータ格納部を有するようにしても良い。この場合、上で述べた接続データの送信元スイッチに送信する処理において、（ｂ２１）接続データに含まれる送信元スイッチのドメインの識別子がデータ格納部に格納されている場合には、送信元スイッチをルートドメインとして設定するためのデータをさらに生成し、（ｂ２２）接続データに含まれる送信元スイッチのドメインの識別子がデータ格納部に格納されていない場合には、送信元スイッチをリーフドメインとして設定するためのデータをさらに生成するようにしても良い。
【０１００】
これによって、ドメインの役割についても自動設定されるようになる。
【０１０１】
さらに、上で述べた複数のスイッチの各々が、ドメインの識別子を設定するための物理的なインターフェースを有する場合もある。このようにすれば、ネットワーク構築作業者の作業負担を削減でき、作業ミスを抑制できるようになる。
【０１０２】
本実施の形態に係る、ネットワーク仮想化スイッチのためのネットワークスイッチ装置は、（Ａ）記憶部と、（Ｂ）他のネットワークスイッチ装置から、当該他のネットワークスイッチ装置が属するドメインの識別子とスイッチ識別子と送信元ポート識別子とを受信した場合には、自スイッチの受信ポート識別子と共に記憶部に格納するスイッチ間通信処理部と、（Ｃ）予め設定される自ドメインの識別子と同一のドメインの識別子と共に記憶部に格納されたスイッチ識別子と送信元ポート識別子と受信ポート識別子とを読み出して、自ドメインの識別子及び読み出されたスイッチ識別子と送信元ポート識別子と受信ポート識別子とを含む接続データを、ネットワークスイッチ装置の設定を行うための情報処理装置に送信し、当該情報処理装置から、自ネットワークスイッチ装置に対して付与されたスイッチ識別子を設定し且つ当該自ネットワークスイッチ装置における受信ポート識別子のポートをドメイン内リンクとして設定するためのデータを受信すると、当該データによって設定を行う設定処理部とを有する。
【０１０３】
さらに、本実施の形態に係る、ネットワーク仮想化スイッチに含まれるネットワークスイッチ装置の設定を行う情報処理装置は、（Ａ）第１のネットワークスイッチ装置から、当該第１のネットワークスイッチ装置が属するドメインの識別子、及び当該第１のネットワークスイッチ装置に接続された第２のネットワークスイッチ装置のスイッチ識別子と、第２のネットワークスイッチ装置に接続されている前記第１のネットワークスイッチ装置のポートの第１のポート識別子と、第１のネットワークスイッチ装置に接続されている第２のネットワークスイッチ装置のポートの第２のポート識別子とを含む接続データを受信すると、（Ｂ）第１のネットワークスイッチ装置に対して、当該第１のネットワークスイッチ装置が属するドメインにおいてユニークなスイッチ識別子を付与し、（Ｃ）第１のネットワークスイッチ装置に対して付与されたスイッチ識別子を設定し、当該第１のネットワークスイッチ装置における第１のポート識別子のポートをドメイン内リンクのポートとして設定するためのデータを生成し、第１のネットワークスイッチ装置に送信し、（Ｄ）第２のポート識別子のポートをドメイン内リンクのポートとして設定するためのデータを生成し、第２のネットワークスイッチ装置に送信する処理を実行する。
【０１０４】
なお、上で述べたような処理をプロセッサ又はコンピュータに実行させるためのプログラムを作成することができ、当該プログラムは、例えばフレキシブル・ディスク、ＣＤ−ＲＯＭなどの光ディスク、光磁気ディスク、半導体メモリ（例えばＲＯＭ）、ハードディスク等のコンピュータ読み取り可能な記憶媒体又は記憶装置に格納される。なお、処理途中のデータについては、ＲＡＭ等の記憶装置に一時保管される。
【０１０５】
以上の実施例を含む実施形態に関し、さらに以下の付記を開示する。
【０１０６】
（付記１）
各々記憶部を有する複数のスイッチと、
前記複数のスイッチに対して設定を行う情報処理装置と、
を有し、
前記複数のスイッチの各々には、１又は複数のドメインのうち所属するドメインの識別子が予め設定されており、
前記１又は複数のドメインの各々には、２以上のスイッチが所属しており、
前記複数のスイッチの各々は、自スイッチのスイッチ識別子が未設定である状態で、
他のスイッチから、当該他のスイッチが属するドメインの識別子とスイッチ識別子と送信元ポート識別子とを受信した場合には、自スイッチの受信ポート識別子と共に前記記憶部に格納し、
自ドメインの識別子と同一のドメインの識別子と共に前記記憶部に格納されたスイッチ識別子と送信元ポート識別子と受信ポート識別子とを読み出して、前記自ドメインの識別子及び読み出された前記スイッチ識別子と前記送信元ポート識別子と前記受信ポート識別子とを含む接続データを前記情報処理装置に送信し、
前記情報処理装置は、
前記接続データを受信すると、
前記接続データの送信元スイッチに対して、当該送信元スイッチが属するドメインにおいてユニークなスイッチ識別子を付与し、
前記接続データの送信元スイッチに対して付与されたスイッチ識別子を設定し、当該送信元スイッチにおける前記受信ポート識別子のポートをドメイン内リンクのポートとして設定するためのデータを生成し、前記接続データの送信元スイッチに送信し、
前記接続データに含まれる前記送信元ポート識別子のポートをドメイン内リンクのポートとして設定するためのデータを生成し、前記接続データに含まれる前記スイッチ識別子のスイッチに送信する
ネットワークシステム。
【０１０７】
（付記２）
前記複数のスイッチの各々は、
起動から一定期間内に前記記憶部に自ドメインと同一のドメインに属する他のスイッチのデータが格納されない場合、前記自ドメインの識別子を含む要求を前記情報処理装置に送信し、
前記情報処理装置は、
前記要求を受信すると、
前記要求の送信元スイッチに対して、当該送信元スイッチが属するドメインにおいてユニークなスイッチ識別子を付与し、
前記要求の送信元スイッチに対して付与されたスイッチ識別子を設定するためのデータを生成し、前記要求の送信元スイッチに送信する
付記１記載のネットワークシステム。
【０１０８】
（付記３）
前記複数のスイッチの各々は、
前記自ドメインの識別子と自スイッチの識別子とを、自スイッチの各ポートから接続先に送信する
付記１又は２記載のネットワークシステム。
【０１０９】
（付記４）
前記情報処理装置は、
前記１又は複数のドメインのうちルートドメインとして機能すべきドメインの識別子を格納するデータ格納部を有しており、
前記接続データの送信元スイッチに送信する処理において、
前記接続データに含まれる前記送信元スイッチのドメインの識別子が前記データ格納部に格納されている場合には、前記送信元スイッチをルートドメインとして設定するためのデータをさらに生成し、
前記接続データに含まれる前記送信元スイッチのドメインの識別子が前記データ格納部に格納されていない場合には、前記送信元スイッチをリーフドメインとして設定するためのデータをさらに生成する
付記１乃至３のいずれか１つ記載のネットワークシステム。
【０１１０】
（付記５）
前記複数のスイッチの各々が、ドメインの識別子を設定するための物理的なインターフェースを有する
付記１乃至４のいずれか１つ記載のネットワークシステム。
【０１１１】
（付記６）
ネットワーク仮想化スイッチのためのネットワークスイッチ装置であって、
記憶部と、
他のネットワークスイッチ装置から、当該他のネットワークスイッチ装置が属するドメインの識別子とスイッチ識別子と送信元ポート識別子とを受信した場合には、自スイッチの受信ポート識別子と共に前記記憶部に格納するスイッチ間通信処理部と、
予め設定される自ドメインの識別子と同一のドメインの識別子と共に前記記憶部に格納されたスイッチ識別子と送信元ポート識別子と受信ポート識別子とを読み出して、前記自ドメインの識別子及び読み出された前記スイッチ識別子と前記送信元ポート識別子と前記受信ポート識別子とを含む接続データを、ネットワークスイッチ装置の設定を行うための情報処理装置に送信し、当該情報処理装置から、自ネットワークスイッチ装置に対して付与されたスイッチ識別子を設定し且つ当該自ネットワークスイッチ装置における前記受信ポート識別子のポートをドメイン内リンクとして設定するためのデータを受信すると、当該データによって設定を行う設定処理部と、
を有するネットワークスイッチ装置。
【０１１２】
（付記７）
ネットワーク仮想化スイッチに含まれるネットワークスイッチ装置の設定を行う情報処理装置であって、
第１のネットワークスイッチ装置から、当該第１のネットワークスイッチ装置が属するドメインの識別子、及び当該第１のネットワークスイッチ装置に接続された第２のネットワークスイッチ装置のスイッチ識別子と、前記第２のネットワークスイッチ装置に接続されている前記第１のネットワークスイッチ装置のポートの第１のポート識別子と、前記第１のネットワークスイッチ装置に接続されている前記第２のネットワークスイッチ装置のポートの第２のポート識別子とを含む接続データを受信すると、
前記第１のネットワークスイッチ装置に対して、当該第１のネットワークスイッチ装置が属するドメインにおいてユニークなスイッチ識別子を付与し、
前記第１のネットワークスイッチ装置に対して付与されたスイッチ識別子を設定し、当該第１のネットワークスイッチ装置における前記第１のポート識別子のポートをドメイン内リンクのポートとして設定するためのデータを生成し、前記第１のネットワークスイッチ装置に送信し、
前記第２のポート識別子のポートをドメイン内リンクのポートとして設定するためのデータを生成し、前記第２のネットワークスイッチ装置に送信する
処理を実行する情報処理装置。
【０１１３】
（付記８）
ネットワーク仮想化スイッチのためのネットワークスイッチ装置によって実行される設定方法であって、
他のネットワークスイッチ装置から、当該他のネットワークスイッチ装置が属するドメインの識別子とスイッチ識別子と送信元ポート識別子とを受信した場合には、自スイッチの受信ポート識別子と共に記憶部に格納し、
予め設定される自ドメインの識別子と同一のドメインの識別子と共に前記記憶部に格納されたスイッチ識別子と送信元ポート識別子と受信ポート識別子とを読み出して、前記自ドメインの識別子及び読み出された前記スイッチ識別子と前記送信元ポート識別子と前記受信ポート識別子とを含む接続データを、ネットワークスイッチ装置の設定を行うための情報処理装置に送信し、当該情報処理装置から、自ネットワークスイッチ装置に対して付与されたスイッチ識別子を設定し且つ当該自ネットワークスイッチ装置における前記受信ポート識別子のポートをドメイン内リンクとして設定するためのデータを受信すると、当該データによって設定を行う
処理を含む設定方法。
【０１１４】
（付記９）
ネットワーク仮想化スイッチに含まれるネットワークスイッチ装置の設定を行う設定方法であって、
第１のネットワークスイッチ装置から、当該第１のネットワークスイッチ装置が属するドメインの識別子、及び当該第１のネットワークスイッチ装置に接続された第２のネットワークスイッチ装置のスイッチ識別子と、前記第２のネットワークスイッチ装置に接続されている前記第１のネットワークスイッチ装置のポートの第１のポート識別子と、前記第１のネットワークスイッチ装置に接続されている前記第２のネットワークスイッチ装置のポートの第２のポート識別子とを含む接続データを受信し、
前記第１のネットワークスイッチ装置に対して、当該第１のネットワークスイッチ装置が属するドメインにおいてユニークなスイッチ識別子を付与し、
前記第１のネットワークスイッチ装置に対して付与されたスイッチ識別子を設定し、当該第１のネットワークスイッチ装置における前記第１のポート識別子のポートをドメイン内リンクのポートとして設定するためのデータを生成し、前記第１のネットワークスイッチ装置に送信し、
前記第２のポート識別子のポートをドメイン内リンクのポートとして設定するためのデータを生成し、前記第２のネットワークスイッチ装置に送信する
処理を含む設定方法。
【符号の説明】
【０１１５】
１００１，１００２  スイッチ
１０５１  基礎データ処理部
１０５２  スイッチ間通信処理部
１０５３  設定処理部
１０５４  基礎データ格納部
１０５５  接続データ格納部
１４００  装置設定サーバ
１４０１  アドレス割当部
１４０２  設定生成部
１４０３  データ格納部
【図１】
2015156587.tif 000003
【図２】
2015156587.tif 000004
【図３】
2015156587.tif 000005
【図４】
2015156587.tif 000006
【図５】
2015156587.tif 000007
【図６】
2015156587.tif 000008
【図７】
2015156587.tif 000009
【図８】
2015156587.tif 000010
【図９】
2015156587.tif 000011
【図１０】
2015156587.tif 000012
【図１１】
2015156587.tif 000013
【図１２】
2015156587.tif 000014
【図１３】
2015156587.tif 000015
【図１４】
2015156587.tif 000016
【図１５】
2015156587.tif 000017
【図１６】
2015156587.tif 000018
【図１７】
2015156587.tif 000019
【図１８】
2015156587.tif 000020
【図１９】
2015156587.tif 000021
【図２０】
2015156587.tif 000022
【図２１】
2015156587.tif 000023
【図２２】
2015156587.tif 000024
【図２３】
2015156587.tif 000025